(57)【要約】【課題】人生イベントにおける人付き合いを円滑に進め、人生イベントの負担感を軽減すること。【解決手段】ユーザに、人生イベント（誕生、七五三、入学式、成人式、結婚等）におけるお返し品のお返し時期、お返しの相手等に関する人生イベント情報を人生イベント情報データベース１００登録させるステップと、所定のトリガに基づいて、相手に関する人生イベントの事前に、ユーザから相手へお返しする場合のお返し品の候補、および人生イベント情報（相手、時期等）をユーザへ通知するステップとを含む。【選択図】        図１
2005208844.tif 000002
【特許請求の範囲】
【請求項１】
コンピュータに、
ユーザに、人生イベントにおけるお返し品のお返し時期、お返しの相手に関する人生イベント情報を登録させる人生イベント登録工程と、
所定のトリガに基づいて、前記相手に対応する人生イベントの事前に、前記お返し品の候補、および前記人生イベント情報を前記ユーザへ通知する通知工程と、
を実行させるための人生イベント管理プログラム。
【請求項２】
前記人生イベント登録工程では、前記ユーザに、該ユーザが前記相手から過去に頂戴した贈答品に関する贈答品情報を登録させ、前記通知工程では、前記贈答品情報および、予め登録された商品情報に基づいて、前記お返し品の候補を決定することを特徴とする請求項１に記載の人生イベント管理プログラム。
【請求項３】
前記通知工程では、予め登録された前記相手の嗜好、および予め登録された商品情報に基づいて、前記お返し品の候補を決定することを特徴とする請求項１に記載の人生イベント管理プログラム。
【請求項４】
前記コンピュータに、前記贈答品情報に基づいて、人生イベントにおいて当該ユーザがお返し品をお返しするのに必要な予算を管理する予算管理工程を実行させることを特徴とする請求項２に記載の人生イベント管理プログラム。
【請求項５】
前記通知工程では、前記人生イベントの日が対応付けられたカレンダを介して、前記人生イベント情報を前記ユーザへ通知することを特徴とする請求項１〜４のいずれか一つに記載の人生イベント管理プログラム。
【請求項６】
前記通知工程では、前記人生イベント情報を電子メールを介して前記ユーザへ通知することを特徴とする請求項１〜５のいずれか一つに記載の人生イベント管理プログラム。
【請求項７】
ユーザに、人生イベントにおけるお返し品のお返し時期、お返しの相手に関する人生イベント情報を登録させる人生イベント登録工程と、
所定のトリガに基づいて、前記相手に対応する人生イベントの事前に、前記お返し品の候補、および前記人生イベント情報を前記ユーザへ通知する通知工程と、
を含むことを特徴とする人生イベント管理方法。
【請求項８】
前記人生イベント登録工程では、前記ユーザに、該ユーザが前記相手から過去に頂戴した贈答品に関する贈答品情報を登録させ、前記通知工程では、前記贈答品情報および、予め登録された商品情報に基づいて、前記お返し品の候補を決定することを特徴とする請求項７に記載の人生イベント管理方法。
【請求項９】
前記通知工程では、予め登録された前記相手の嗜好、および予め登録された商品情報に基づいて、前記お返し品の候補を決定することを特徴とする請求項７に記載の人生イベント管理方法。
【請求項１０】
前記贈答品情報に基づいて、人生イベントにおいて当該ユーザがお返し品をお返しするのに必要な予算を管理する予算管理工程を含むことを特徴とする請求項８に記載の人生イベント管理方法。
【請求項１１】
前記通知工程では、前記人生イベントの日が対応付けられたカレンダを介して、前記人生イベント情報を前記ユーザへ通知することを特徴とする請求項７〜１０のいずれか一つに記載の人生イベント管理方法。
【請求項１２】
前記通知工程では、前記人生イベント情報を電子メールを介して前記ユーザへ通知することを特徴とする請求項７〜１１のいずれか一つに記載の人生イベント管理方法。
【請求項１３】
ユーザに、人生イベントにおけるお返し品のお返し時期、お返しの相手に関する人生イベント情報を登録させる人生イベント登録手段と、
所定のトリガに基づいて、前記相手に対応する人生イベントの事前に、前記お返し品の候補、および前記人生イベント情報を前記ユーザへ通知する通知手段と、
を備えたことを特徴とする人生イベント管理装置。
【請求項１４】
前記人生イベント登録手段は、前記ユーザに、該ユーザが前記相手から過去に頂戴した贈答品に関する贈答品情報を登録させ、前記通知手段は、前記贈答品情報および、予め登録された商品情報に基づいて、前記お返し品の候補を決定することを特徴とする請求項１３に記載の人生イベント管理装置。
【請求項１５】
前記通知手段は、予め登録された前記相手の嗜好、および予め登録された商品情報に基づいて、前記お返し品の候補を決定することを特徴とする請求項１３に記載の人生イベント管理装置。
【請求項１６】
前記贈答品情報に基づいて、人生イベントにおいて当該ユーザがお返し品をお返しするのに必要な予算を管理する予算管理手段を備えたことを特徴とする請求項１４に記載の人生イベント管理装置。
【請求項１７】
前記通知手段は、前記人生イベントの日が対応付けられたカレンダを介して、前記人生イベント情報を前記ユーザへ通知することを特徴とする請求項１３〜１６のいずれか一つに記載の人生イベント管理装置。
【請求項１８】
前記通知手段は、前記人生イベント情報を電子メールを介して前記ユーザへ通知することを特徴とする請求項１３〜１７のいずれか一つに記載の人生イベント管理装置。
【発明の詳細な説明】
【技術分野】
【０００１】
本発明は、誕生日、七五三、結婚等の人生イベントの管理に用いて好適な人生イベント管理プログラム、人生イベント管理方法および人生イベント管理装置に関するものであり、特に、人生イベントにおける人付き合いを円滑に進めることができ、人生イベントの負担感を軽減することができる人生イベント管理プログラム、人生イベント管理方法および人生イベント管理装置に関するものである。
【背景技術】
【０００２】
人生においては、誕生日、七五三、入学式、卒業式、成人式、結婚等の人生イベントで、本人と関わりがある友人、親族等（贈り主）から贈答品を受け取る一方、贈り主に人生イベントが発生した場合にお返しとして、本人から贈り主に対して贈答品を渡すという慣習を通じて、円滑な人付き合いが営まれている。
【０００３】
【特許文献１】特開２００３−６３５６号公報
【発明の開示】
【発明が解決しようとする課題】
【０００４】
ところで、人生イベントにおいてお返しをする場合には、以前、自身が受け取った贈答品と同等の価値を有する贈答品を渡すことが慣習の一つとされている。例えば、Ａさんの誕生日に、Ｂさんから５０００円相当の贈答品を頂戴した場合、Ｂさんの誕生日には、ＡさんからＢさんへ５０００円相当の贈答品が渡される。
【０００５】
従って、従来においては、自身の人生イベントに贈答品を受け取った場合、贈答者（贈り主）の氏名、人生イベントの種別（誕生日、結婚式、入学式等）、贈答品金額（予測）等に関する人生イベント情報を逐一記録しておく必要がある。
【０００６】
しかしながら、従来においては、人生イベント情報を記録した紙を紛失したり、データを消去するという事態が発生しやすいという問題があった。また、従来においては、贈答者に人生イベントが発生しても忘却や勘違いにより、お返しをし忘れる可能性があり、義理を欠くという事態も想定される。最悪の場合には、人間関係の悪化を招く。
【０００７】
また、そもそも、お返しをする場合には、人生イベント情報を自身で管理したり、お返しの品を選定するのに時間や手間がかかり、当事者にとって負担感が非常に大きいという根本的な問題があった。
【０００８】
本発明は、上記に鑑みてなされたものであって、人生イベントにおける人付き合いを円滑に進めることができ、人生イベントの負担感を軽減することができる人生イベント管理プログラム、人生イベント管理方法および人生イベント管理装置を提供することを目的とする。
【課題を解決するための手段】
【０００９】
上述した課題を解決し、目的を達成するために、本発明は、コンピュータに、ユーザに、人生イベントにおけるお返し品のお返し時期、お返しの相手に関する人生イベント情報を登録させる人生イベント登録工程と、所定のトリガに基づいて、前記相手に対応する人生イベントの事前に、前記お返し品の候補、および前記人生イベント情報を前記ユーザへ通知する通知工程と、を実行させるための人生イベント管理プログラムである。
【００１０】
本発明によれば、ユーザに、人生イベントにおけるお返し品のお返し時期、お返しの相手に関する人生イベント情報を登録させ、所定のトリガに基づいて、相手に対応する人生イベントの事前に、お返し品の候補、および人生イベント情報をユーザへ通知することとしたので、人生イベントにおける人付き合いを円滑に進めることができる。
【００１１】
また、本発明は、上記発明において、前記人生イベント登録工程では、前記ユーザに、該ユーザが前記相手から過去に頂戴した贈答品に関する贈答品情報を登録させ、前記通知工程では、前記贈答品情報および、予め登録された商品情報に基づいて、前記お返し品の候補を決定することを特徴とする。
【００１２】
本発明によれば、ユーザに、該ユーザが相手から過去に頂戴した贈答品に関する贈答品情報を登録させ、贈答品情報および、予め登録された商品情報に基づいて、お返し品の候補を決定することとしたので、お返し品をゼロから検討する手間が省け、ユーザにおける人生イベントの負担感を軽減することができる。
【００１３】
また、本発明は、上記発明において、前記通知工程では、予め登録された前記相手の嗜好、および予め登録された商品情報に基づいて、前記お返し品の候補を決定することを特徴とする。
【００１４】
本発明によれば、予め登録された相手の嗜好、および予め登録された商品情報に基づいて、お返し品の候補を決定することとしたので、相手の嗜好に合ったお返し品をお返しすることができるため、人生イベントにおける人付き合いをさらに円滑に進めることができる。
【００１５】
また、本発明は、上記発明において、前記コンピュータに、前記贈答品情報に基づいて、人生イベントにおいて当該ユーザがお返し品をお返しするのに必要な予算を管理する予算管理工程を実行させることを特徴とする。
【００１６】
本発明によれば、贈答品情報に基づいて、人生イベントにおいて当該ユーザがお返し品をお返しするのに必要な予算を管理することとしたので、中長期（月間や年間）に亘る交際費を該予算から把握することができ、ユーザの利便性を高めることができる。
【００１７】
また、本発明は、上記発明において、前記通知工程では、前記人生イベントの日が対応付けられたカレンダを介して、前記人生イベント情報を前記ユーザへ通知することを特徴とする。
【００１８】
本発明によれば、人生イベントの日が対応付けられたカレンダを介して、人生イベント情報をユーザへ通知することとしたので、ユーザが人生イベントをカレンダの予定として把握することができる。
【００１９】
また、本発明は、上記発明において、前記通知工程では、前記人生イベント情報を電子メールを介して前記ユーザへ通知することを特徴とする。
【００２０】
本発明によれば、人生イベント情報を電子メールを介してユーザへ通知することとしたので、迅速に人生イベント情報をユーザに知らせることができる。
【００２１】
また、本発明は、ユーザに、人生イベントにおけるお返し品のお返し時期、お返しの相手に関する人生イベント情報を登録させる人生イベント登録工程と、所定のトリガに基づいて、前記相手に対応する人生イベントの事前に、前記お返し品の候補、および前記人生イベント情報を前記ユーザへ通知する通知工程と、を含むことを特徴とする。
【００２２】
本発明によれば、ユーザに、人生イベントにおけるお返し品のお返し時期、お返しの相手に関する人生イベント情報を登録させ、所定のトリガに基づいて、相手に対応する人生イベントの事前に、お返し品の候補、および人生イベント情報をユーザへ通知することとしたので、人生イベントにおける人付き合いを円滑に進めることができる。
【００２３】
また、本発明は、上記発明において、前記人生イベント登録工程では、前記ユーザに、該ユーザが前記相手から過去に頂戴した贈答品に関する贈答品情報を登録させ、前記通知工程では、前記贈答品情報および、予め登録された商品情報に基づいて、前記お返し品の候補を決定することを特徴とする。
【００２４】
本発明によれば、ユーザに、該ユーザが相手から過去に頂戴した贈答品に関する贈答品情報を登録させ、贈答品情報および、予め登録された商品情報に基づいて、お返し品の候補を決定することとしたので、お返し品をゼロから検討する手間が省け、ユーザにおける人生イベントの負担感を軽減することができる。
【００２５】
また、本発明は、上記発明において、前記通知工程では、予め登録された前記相手の嗜好、および予め登録された商品情報に基づいて、前記お返し品の候補を決定することを特徴とする。
【００２６】
本発明によれば、予め登録された相手の嗜好、および予め登録された商品情報に基づいて、お返し品の候補を決定することとしたので、相手の嗜好に合ったお返し品をお返しすることができるため、人生イベントにおける人付き合いをさらに円滑に進めることができる。
【００２７】
また、本発明は、上記発明において、前記贈答品情報に基づいて、人生イベントにおいて当該ユーザがお返し品をお返しするのに必要な予算を管理する予算管理工程を含むことを特徴とする。
【００２８】
本発明によれば、贈答品情報に基づいて、人生イベントにおいて当該ユーザがお返し品をお返しするのに必要な予算を管理することとしたので、中長期（月間や年間）に亘る交際費を該予算から把握することができ、ユーザの利便性を高めることができる。
【００２９】
また、本発明は、上記発明において、前記通知工程では、前記人生イベントの日が対応付けられたカレンダを介して、前記人生イベント情報を前記ユーザへ通知することを特徴とする。
【００３０】
本発明によれば、人生イベントの日が対応付けられたカレンダを介して、人生イベント情報をユーザへ通知することとしたので、ユーザが人生イベントをカレンダの予定として把握することができる。
【００３１】
また、本発明は、上記発明において、前記通知工程では、前記人生イベント情報を電子メールを介して前記ユーザへ通知することを特徴とする。
【００３２】
本発明によれば、人生イベント情報を電子メールを介してユーザへ通知することとしたので、迅速に人生イベント情報をユーザに知らせることができる。
【００３３】
また、本発明は、ユーザに、人生イベントにおけるお返し品のお返し時期、お返しの相手に関する人生イベント情報を登録させる人生イベント登録手段と、所定のトリガに基づいて、前記相手に対応する人生イベントの事前に、前記お返し品の候補、および前記人生イベント情報を前記ユーザへ通知する通知手段と、を備えたことを特徴とする。
【００３４】
本発明によれば、ユーザに、人生イベントにおけるお返し品のお返し時期、お返しの相手に関する人生イベント情報を登録させ、所定のトリガに基づいて、相手に対応する人生イベントの事前に、お返し品の候補、および人生イベント情報をユーザへ通知することとしたので、人生イベントにおける人付き合いを円滑に進めることができる。
【００３５】
また、本発明は、上記発明において、前記人生イベント登録手段は、前記ユーザに、該ユーザが前記相手から過去に頂戴した贈答品に関する贈答品情報を登録させ、前記通知手段は、前記贈答品情報および、予め登録された商品情報に基づいて、前記お返し品の候補を決定することを特徴とする。
【００３６】
本発明によれば、ユーザに、該ユーザが相手から過去に頂戴した贈答品に関する贈答品情報を登録させ、贈答品情報および、予め登録された商品情報に基づいて、お返し品の候補を決定することとしたので、お返し品をゼロから検討する手間が省け、ユーザにおける人生イベントの負担感を軽減することができる。
【００３７】
また、本発明は、上記発明において、前記通知手段は、予め登録された前記相手の嗜好、および予め登録された商品情報に基づいて、前記お返し品の候補を決定することを特徴とする。
【００３８】
本発明によれば、予め登録された相手の嗜好、および予め登録された商品情報に基づいて、お返し品の候補を決定することとしたので、相手の嗜好に合ったお返し品をお返しすることができるため、人生イベントにおける人付き合いをさらに円滑に進めることができる。
【００３９】
また、本発明は、上記発明において、前記贈答品情報に基づいて、人生イベントにおいて当該ユーザがお返し品をお返しするのに必要な予算を管理する予算管理手段を備えたことを特徴とする。
【００４０】
本発明によれば、贈答品情報に基づいて、人生イベントにおいて当該ユーザがお返し品をお返しするのに必要な予算を管理することとしたので、中長期（月間や年間）に亘る交際費を該予算から把握することができ、ユーザの利便性を高めることができる。
【００４１】
また、本発明は、上記発明において、前記通知手段は、前記人生イベントの日が対応付けられたカレンダを介して、前記人生イベント情報を前記ユーザへ通知することを特徴とする。
【００４２】
本発明によれば、人生イベントの日が対応付けられたカレンダを介して、人生イベント情報をユーザへ通知することとしたので、ユーザが人生イベントをカレンダの予定として把握することができる。
【００４３】
また、本発明は、上記発明において、前記通知手段は、前記人生イベント情報を電子メールを介して前記ユーザへ通知することを特徴とする。
【００４４】
本発明によれば、人生イベント情報を電子メールを介してユーザへ通知することとしたので、迅速に人生イベント情報をユーザに知らせることができる。
【発明の効果】
【００４５】
本発明によれば、ユーザに、人生イベントにおけるお返し品のお返し時期、お返しの相手に関する人生イベント情報を登録させ、所定のトリガに基づいて、相手に対応する人生イベントの事前に、お返し品の候補、および人生イベント情報をユーザへ通知することとしたので、人生イベントにおける人付き合いを円滑に進めることができるという効果を奏する。
【００４６】
また、本発明によれば、ユーザに、該ユーザが相手から過去に頂戴した贈答品に関する贈答品情報を登録させ、贈答品情報および、予め登録された商品情報に基づいて、お返し品の候補を決定することとしたので、お返し品をゼロから検討する手間が省け、ユーザにおける人生イベントの負担感を軽減することができるという効果を奏する。
【００４７】
また、本発明によれば、予め登録された相手の嗜好、および予め登録された商品情報に基づいて、お返し品の候補を決定することとしたので、相手の嗜好に合ったお返し品をお返しすることができるため、人生イベントにおける人付き合いをさらに円滑に進めることができるという効果を奏する。
【００４８】
また、本発明によれば、贈答品情報に基づいて、人生イベントにおいて当該ユーザがお返し品をお返しするのに必要な予算を管理することとしたので、中長期（月間や年間）に亘る交際費を該予算から把握することができ、ユーザの利便性を高めることができるという効果を奏する。
【００４９】
また、本発明によれば、人生イベントの日が対応付けられたカレンダを介して、人生イベント情報をユーザへ通知することとしたので、ユーザが人生イベントをカレンダの予定として把握することができるという効果を奏する。
【００５０】
また、本発明によれば、人生イベント情報を電子メールを介してユーザへ通知することとしたので、迅速に人生イベント情報をユーザに知らせることができるという効果を奏する。
【発明を実施するための最良の形態】
【００５１】
以下に、本発明にかかる人生イベント管理プログラム、人生イベント管理方法および人生イベント管理装置の一実施例を図面に基づいて詳細に説明する。なお、この一実施例によりこの発明が限定されるものではない。
【実施例】
【００５２】
図１は、本発明の一実施例の構成を示すブロック図である。同図には、誕生日、七五三、結婚等の人生イベントを、贈答品をキーとして管理するための人生イベント管理システムが図示されている。なお、本明細書において、贈答品には、品物、金券の他に現金も含まれるものとする。この人生イベント管理システムは、ユーザ端末１０1〜１０nと、ネットワーク２０（例えば、インターネット）と、無線基地局３０と、携帯端末４０1〜４０nと、Ｗｅｂサーバ５０1〜５０m（Ｗｅｂサイト６０1〜６０m）と、人生イベント管理装置７０とから構成されている。
【００５３】
ユーザ端末１０1〜１０nは、人生イベント管理装置７０による人生イベント管理サービスの各ユーザ側に設けられたパーソナルコンピュータであり、コンピュータ本体、入力部（キーボード、マウス）および表示部（ＬＣＤ（Liquid Crystal Display）、ＣＲＴ（Cathode Ray Tube））から構成されている。これらのユーザ端末１０1〜１０nは、ネットワーク２０に接続されており、後述する人生イベント情報の登録、電子メールの送受信、Ｗｅｂサイトの閲覧等の機能を備えている。
【００５４】
無線基地局３０は、ネットワーク２０に接続されており、無線回線を介して、携帯端末４０1〜４０nを収容している。これらの携帯端末４０1〜４０nは、ユーザ端末１０1から０nに対応する各ユーザに携帯された携帯電話端末、ＰＨＳ（Personal Handyphone System）端末、ＰＤＡ（Personal Digital Assistant）等であり、通話、電子メールの送受信等の各機能を備えている。
【００５５】
Ｗｅｂサーバ５０1〜５０mは、Ｗｅｂサイト６０1〜６０mを介して、人生イベントにおける贈答品として用いられる商品を販売するためのサーバである。Ｗｅｂサイト６０1〜６０mは、各商品の注文を受け付けるためのサイトであり、ユーザ端末１０1〜１０nに閲覧される。これらのＷｅｂサイト６０1〜６０mのそれぞれには、ＵＲＬとしてhttp://www.shop1.com〜http://www.shopm.comが付与されている。
【００５６】
人生イベント管理装置７０は、ユーザ端末１０1〜１０nに対して、人生イベント管理サービスを提供する装置であり、贈答品をキーとして、人生イベントを管理する装置である。この人生イベント管理装置７０において、制御部７１は、各部を制御する。この制御部７１の動作の詳細については、後述する。記憶部７２は、オペレーティングシステム、アプリケーションプログラム、制御部７１で用いられる各種情報を記憶する。
【００５７】
タイマ７３は、制御部７１に時刻情報を出力する。制御部７１は、時刻情報に基づいて、年月日を認識する。入力部７４は、キーボードやマウス等である。表示部７５は、ＬＣＤやＣＲＴ等である。通信部７６は、ネットワーク２０に接続されており、所定の通信プロトコルに従って、通信を制御する。
【００５８】
また、人生イベント管理装置７０においては、ユーザ情報データベース８０、カレンダ情報データベース９０、人生イベント情報データベース１００および商品情報データベース１１０が設けられている。以下では、これらのユーザ情報データベース８０、カレンダ情報データベース９０、人生イベント情報データベース１００および商品情報データベース１１０を図２〜図５を参照しつつ説明する。
【００５９】
図２に示したユーザ情報データベース８０は、ユーザ端末１０1〜１０n（図１参照）に対応する各ユーザに関するユーザ情報を格納するデータベースである。具体的には、ユーザ情報データベース８０は、「ユーザＩＤ」、「パスワード」、「氏名」、「住所」、「電話番号」、「ＰＣ（パーソナルコンピュータ）電子メールアドレス」、「携帯電子メールアドレス」、・・・等のフィールドを備えている。
【００６０】
「ユーザＩＤ」は、ユーザを識別するための識別子である。「パスワード」は、「ユーザＩＤ」とともに認証情報として、人生イベント管理装置７０にアクセスする際に用いられる。「氏名」は、ユーザの氏名に関する情報である。「住所」は、ユーザの住所に関する情報である。
【００６１】
「電話番号」は、ユーザの電話番号に関する情報である。「ＰＣ（パーソナルコンピュータ）電子メールアドレス」は、ユーザ端末１０1〜１０nのそれぞれに付与された電子メールアドレスに関する情報である。「携帯電子メールアドレス」は、携帯端末４０1〜４０mのそれぞれに付与された電子メールアドレスに関する情報である。
【００６２】
図３に示したカレンダ情報データベース９０は、年月日、曜日からなるカレンダ情報を格納するデータベースである。図４に示した人生イベント情報データベース１００は、各ユーザが自身の人生イベントで贈り主から贈答品を受け取ったことをトリガとして、該贈り主へお返しするために必要な情報等を人生イベント情報として格納するデータベースである。
【００６３】
具体的には、人生イベント情報データベース１００は、「ユーザＩＤ」、「登録年月日」、「贈答年月日」、「贈り主」、「贈答品」、「贈答品金額」、「贈り主との関係」、「人生イベント種別」、「人生イベント日」、「通知方法」、「写真」、「ビデオ」、「日記」等のフィールドを備えている。
【００６４】
「ユーザＩＤ」は、ユーザを識別するための識別子であり、ユーザ情報データベース８０（図２参照）の「ユーザＩＤ」に対応している。「登録年月日」は、人生イベント情報を人生イベント情報データベース１００に登録した年月日であり、制御部７１により自動設定される。「贈答年月日」は、当該ユーザの人生イベントで贈り主から贈答品を贈られた年月日に関する情報である。
【００６５】
「贈り主」は、上記ユーザの人生イベントでユーザへ贈答品を贈った者の氏名である。「贈答品」は、かかる贈答品の具体的内容に関する情報である。「贈答品金額」は、当該贈答品の金額（推測）に関する情報である。「贈り主との関係」は、当該ユーザと贈り主との関係に関する情報である。
【００６６】
「人生イベント種別」は、かかる人生イベントの種別（誕生日、七五三、入学式、・・・、１回忌、・・・）に関する情報である。「人生イベント日」は、ユーザから贈り主へお返しをする場合に、当該贈り主の人生イベントが発生する日に関する情報である。
【００６７】
「通知方法」は、当該贈り主に関して人生イベントが発生する日や、お返しの品物の候補等に関する情報をユーザへ通知する方法に関する情報である。
【００６８】
具体的には、「通知方法」としては、図１２に示したカレンダ画面２１０を介して通知する方法、図１７に示した人生イベント通知電子メール２６０をユーザ端末（ユーザ端末１０1〜１０nのうちいずれか一つのユーザ端末）へ送信する方法、人生イベント通知電子メール２６０を携帯端末（携帯端末４０1〜４０nのうちいずれか一つの携帯端末）へ送信する方法が挙げられる。
【００６９】
「写真」は、カレンダ画面２１０に掲載すべき写真のファイル名に関する情報である。「ビデオ」は、カレンダ画面２１０に掲載すべきビデオのファイル名に関する情報である。「日記」は、カレンダ画面２１０に掲載すべき日記に関する情報である。
【００７０】
図５に示した商品情報データベース１１０は、人生イベントにおけるお返しの品としての商品に関する商品情報を格納するデータベースである。この商品情報は、Ｗｅｂサーバ５０1〜５０mから提供される。従って、商品情報データベース１１０に対応する各商品は、Ｗｅｂサイト６０1〜６０mで購入可能である。
【００７１】
商品情報データベース１１０は、「商品名」、「価格」、「人生イベント種別」、「販売サイトＵＲＬ」からなるフィールドを備えている。「商品名」は、当該商品の名称に関する情報である。「価格」は、当該商品の価格に関する情報である。
【００７２】
「人生イベント種別」は、当該商品を贈答品とした場合に最適な人生イベントの種別に関する情報であり、人生イベント情報データベース１００（図４参照）の「人生イベント種別」に対応している。「販売サイトＵＲＬ」は、当該商品を販売しているＷｅｂサイト６０1〜６０mの各ＵＲＬに関する情報である。
【００７３】
つぎに、一実施例の動作について、図６〜図１７を参照しつつ説明する。図６は、図１に示した人生イベント管理装置７０の動作を説明するフローチャートである。以下では、ユーザ端末１０1に対応するユーザ（山田太郎）が人生イベント管理サービスを利用する場合について説明する。
【００７４】
図６に示したステップＳＡ１では、人生イベント管理装置７０の制御部７１は、タイマ７３からの時刻情報に基づいて、現在時刻が、予め設定されたバッチ時刻（例えば、毎日午前０時）であるか否かを判断し、この場合、判断結果を「Ｎｏ」とする。
【００７５】
ステップＳＡ２では、制御部７１は、ユーザ端末１０1〜１０nのうちいずれか一つのユーザ端末からアクセスがあるか否かを判断し、この場合、判断結果を「Ｎｏ」とする。以後、制御部７１は、ステップＳＡ１またはステップＳＡ２の判断結果が「Ｙｅｓ」となるまで、ステップＳＡ１およびステップＳＡ２の判断を繰り返す。
【００７６】
ここで、ユーザ（山田一郎）の操作に基づいて、ユーザ端末１０1がネットワーク２０を介して人生イベント管理装置７０にアクセスすると、制御部７１は、ステップＳＡ２の判断結果を「Ｙｅｓ」とする。
【００７７】
ステップＳＡ３では、制御部７１は、図１１に示した認証画面２００をユーザ端末１０1の表示部（図示略）に表示させる。この認証画面２００は、当該ユーザが本人であるか否かを認証するための画面である。この認証画面２００には、ユーザＩＤおよびパスワードを入力するための入力欄２０１と、認証ボタン２０２とが表示されている。
【００７８】
ステップＳＡ４では、制御部７１は、認証画面２００の認証ボタン２０２が押下されたか否かを判断し、この場合、判断結果を「Ｎｏ」として、同判断を繰り返す。そして、ユーザ（山田一郎）により、入力欄２０１にユーザＩＤおよびパスワードが入力された後、認証ボタン２０２が押下されると、制御部７１は、ステップＳＡ４の判断結果を「Ｙｅｓ」とする。
【００７９】
ステップＳＡ５では、制御部７１は、認証画面２００で入力されたユーザＩＤおよびパスワードをキーとして、ユーザ情報データベース８０（図２参照）を照会し、認証処理を実行する。ステップＳＡ６では、制御部７１は、認証されたか否か、すなわち、上記ユーザＩＤおよびパスワードがユーザ情報データベース８０に登録されているか否かを判断し、この場合、判断結果を「Ｙｅｓ」とする。なお、ステップＳＡ６の判断結果が「Ｎｏ」である場合、制御部７１は、認証エラーとして、ステップＳＡ１の判断を行う。
【００８０】
ステップＳＡ７では、制御部７１は、当該ユーザ（山田一郎）に対応するカレンダ２１１（図１２参照）を作成する。このカレンダ２１１は、今月（この場合、２００３年９月）のカレンダに人生イベント情報が反映されたものである。
【００８１】
すなわち、制御部７１は、カレンダ情報データベース９０（図３参照）から今月（２００３年９月）のカレンダ情報を取得する。つぎに、制御部７１は、当該ユーザのユーザＩＤをキーとして、人生イベント情報データベース１００（図４参照）から、「人生イベント日」が今月（２００３年９月）とされた人生イベント情報を取得する。
【００８２】
つぎに、制御部７１は、「人生イベント日」をキーとして、今月のカレンダの各日付に人生イベント情報を対応付け、カレンダ２１１を作成する。このカレンダ２１１においては、９月１８日の写真２１１ａは、図４に示した写真（abc.jpeg）に対応しており、ユーザ（山田一郎）の友人であって、お返しの送り先である日本太郎の誕生日であることを表す。
【００８３】
ステップＳＡ８では、制御部７１は、ステップＳＡ７で作成されたカレンダ２１１に基づいて、図１２に示したカレンダ画面２１０をユーザ端末１０1の表示部（図示略）に表示するためのカレンダ画面表示処理を実行する。このカレンダ画面２１０には、カレンダ２１１、人生イベント登録ボタン２１２、人生イベント検索ボタン２１３、予算管理ボタン２１４、終了ボタン２１５が表示されている。
【００８４】
人生イベント登録ボタン２１２は、人生イベント情報データベース１００に人生イベント情報を新規に登録する場合に押下されるボタンである。人生イベント検索ボタン２１３は、ユーザが贈答品を頂戴した人生イベントに関する人生イベント情報を検索する場合に押下されるボタンである。予算管理ボタン２１４は、人生イベントのお返しにかかる月間予算、年間予算を管理する場合に押下されるボタンである。終了ボタン２１５は、カレンダ画面２１０を閉じる場合に押下されるボタンである。
【００８５】
また、カレンダ画面表示処理において、ユーザにより写真２１１ａがマウスでクリックされると、制御部７１は、９月１８日に対応する人生イベント情報（図４参照）、商品情報データベース１１０（図５参照）に基づいて、人生イベント通知情報２１１ｂを作成した後、これをポップアップ表示させる。
【００８６】
この人生イベント通知情報２１１ｂは、２００３年９月１８日が日本太郎の誕生日であること（第１の通知情報という）、ユーザの誕生日に日本太郎から花束をもらっていること（第２の通知情報という）、お返しとしてのお奨めの商品（バラの花束）（第３の通知情報という）と、当該商品を購入できるＷｅｂサイトのＵＲＬと（第４の通知情報という）、をユーザに通知するための情報である。これにより、ユーザは、当該ＵＲＬ（http://www.shop1.com）に対応するＷｅｂサイト６０1にアクセスし、日本太郎へお返しするバラ花束をオンラインで購入する。
【００８７】
ここで、第１の通知情報および第２の通知情報は、２００３年９月１８日（人生イベント日）に対応する人生イベント情報（図４参照）に基づく情報である。第３の通知情報は、同人生イベント情報（図４参照）の贈答品（花束）に基づく情報である。
【００８８】
第４の通知情報は、上記第３の通知情報（花束）と、同人生イベント情報（図４参照）の贈答品金額（５０００円）および人生イベント種別（誕生日）とをキーとして、商品情報データベース１１０から検索された情報である。
【００８９】
図６に示したステップＳＡ９では、制御部７１は、人生イベント登録ボタン２１２が押下されたか否かを判断し、この場合、判断結果を「Ｎｏ」とする。ステップＳＡ１０では、制御部７１は、人生イベント検索ボタン２１３が押下されたか否かを判断し、この判断結果を「Ｎｏ」とする。
【００９０】
ステップＳＡ１１では、制御部７１は、予算管理ボタン２１４が押下されたか否かを判断し、この場合、判断結果を「Ｎｏ」とする。ステップＳＡ１２では、制御部７１は、終了ボタン２１５が押下されたか否かを判断し、この場合、判断結果を「Ｎｏ」とする。以後、制御部７１は、ステップＳＡ９〜ステップＳＡ１２のうちいずれか一つのステップの判断結果が「Ｙｅｓ」となるまで、ステップＳＡ９〜ステップＳＡ１２の判断を繰り返す。
【００９１】
ここで、ユーザにより、人生イベント情報を新規に登録すべく、図１２に示した人生イベント登録ボタン２１２が押下されると、制御部７１は、図６に示したステップＳＡ９の判断結果を「Ｙｅｓ」とする。ステップＳＡ１３では、制御部７１は、人生イベント登録処理を実行する。
【００９２】
具体的には、図７に示したステップＳＢ１では、制御部７１は、図１３に示した人生イベント登録画面２２０をユーザ端末１０1の表示部（図示略）に表示させる。この人生イベント登録画面２２０は、人生イベント情報を登録するための画面である。人生イベント登録画面２２０には、人生イベント情報を入力するための入力欄２２１と、登録を実行するための登録ボタン２２２とが表示されている。
【００９３】
ステップＳＢ２では、制御部７１は、登録ボタン２２２が押下されたか否かを判断し、この場合、判断結果を「Ｎｏ」として、同判断を繰り返す。そして、ユーザが入力欄２２１に人生イベント情報を入力した後、登録ボタン２２２を押下すると、制御部７１は、ステップＳＢ２の判断結果を「Ｙｅｓ」とする。ステップＳＢ３では、制御部７１は、入力欄２２１に入力された人生イベント情報をユーザ端末１０1から取得した後、ユーザＩＤと対応付けて人生イベント情報データベース１００（図４参照）に登録する。
【００９４】
また、ユーザにより、人生イベント情報を検索すべく人生イベント検索ボタン２１３（図１２参照）が押下されると、制御部７１は、図６に示したステップＳＡ１０の判断結果を「Ｙｅｓ」とする。ステップＳＡ１４では、制御部７１は、人生イベント検索処理を実行する。
【００９５】
具体的には、図８に示したステップＳＣ１では、制御部７１は、図１４に示した人生イベント検索画面２３０をユーザ端末１０1の表示部（図示略）に表示させる。この人生イベント検索画面２３０は、検索キーを入力するための画面である。この人生イベント検索画面２３０には、検索キーとしての贈答年月日、贈り主、人生イベント種別を入力するための入力欄２３１と、検索を実行するための検索ボタン２３２とが表示されている。
【００９６】
ステップＳＣ２では、制御部７１は、検索ボタン２３２が押下されたか否かを判断し、この場合、判断結果を「Ｎｏ」として、同判断を繰り返す。そして、ユーザにより入力欄２３１に検索キーが入力された後、検索ボタン２３２が押下されると、制御部７１は、ステップＳＣ２の判断結果を「Ｙｅｓ」とする。
【００９７】
ステップＳＣ３では、制御部７１は、入力欄２３１に入力された検索キーに基づいて、図４に示した人生イベント情報データベース１００から人生イベント情報を検索するという検索処理を実行する。ステップＳＣ４では、制御部７１は、図１５に示した検索結果画面２４０をユーザ端末１０1の表示部（図示略）に表示させる。この検索結果画面２４０には、検索結果２４１と、戻るボタン２４２とが表示されている。
【００９８】
ステップＳＣ５では、制御部７１は、戻るボタン２４２が押下されたか否かを判断し、この場合、判断結果を「Ｎｏ」として、同判断を繰り返す。そして、ユーザにより、戻るボタン２４２が押下されると、制御部７１は、ステップＳＣ５の判断結果を「Ｙｅｓ」とする。
【００９９】
また、ユーザにより、予算管理ボタン２１４（図１２参照）が押下されると、制御部７１は、図６に示したステップＳＡ１１の判断結果を「Ｙｅｓ」とする。ステップＳＡ１５では、制御部７１は、予算管理処理を実行する。
【０１００】
具体的には、図９に示したステップＳＤ１では、制御部７１は、当該ユーザに対応するユーザＩＤをキーとして、人生イベント情報データベース１００（図４参照）から人生イベント情報を取得した後、該人生イベント情報に含まれる「贈答品金額」（お返しにかかる金額に相当し、１個あたりの予算とする）および「人生イベント日」を、月間予算および年間予算として集計するという予算集計処理を実行する。
【０１０１】
ステップＳＤ２では、制御部７１は、ステップＳＤ１の予算集計処理に基づいて、図１６に示した予算管理画面２５０をユーザ端末１０1の表示部（図示略）に表示させる。この予算管理画面２５０には、当該ユーザがお返しする場合の予算としての月間予算２５１および年間予算２５２と、戻るボタン２５３とが表示されている。
【０１０２】
ステップＳＤ３では、制御部７１は、戻るボタン２５３が押下されたか否かを判断し、この場合、判断結果を「Ｎｏ」として、同判断を繰り返す。そして、ユーザにより、戻るボタン２５３が押下されると、制御部７１は、ステップＳＤ３の判断結果を「Ｙｅｓ」とする。
【０１０３】
また、現在時刻がバッチ時刻になると、制御部７１は、図６に示したステップＳＡ１の判断結果を「Ｙｅｓ」とする。ステップＳＡ１６では、制御部７１は、ユーザに事前に通知すべき人生イベント（お返し）があるか否かをチェックするための人生イベントチェック処理を実行する。
【０１０４】
具体的には、図１０に示したステップＳＥ１では、制御部７１は、人生イベント情報データベース１００（図４参照）から一つの人生イベント情報を取得する。ステップＳＥ２では、制御部７１は、本日が、取得した人生イベント情報の人生イベント日の３０日前であるか否かを判断し、この場合、判断結果を「Ｎｏ」とする。
【０１０５】
ステップＳＥ３では、制御部７１は、人生イベント情報データベース１００における全ての人生イベント情報についてチェックが終了したか否かを判断し、この場合、判断結果を「Ｎｏ」とする。
【０１０６】
ステップＳＥ１では、制御部７１は、人生イベント情報データベース１００（図４参照）からつぎの一つの人生イベント情報を取得する。ステップＳＥ２では、制御部７１は、本日が、取得した人生イベント情報の人生イベント日の３０日前であるか否かを判断し、この場合、判断結果を「Ｙｅｓ」とする。
【０１０７】
ステップＳＥ４では、制御部７１は、当該人生イベント情報に含まれる贈答品、贈答品金額および人生イベント種別をキーとして、商品情報データベース１１０からお返し品候補を検索する。すなわち、この場合、ユーザが以前頂戴した贈答品と内容および金額が同じ（または類似でもよい）ような商品がお返し品の候補として検索される。
【０１０８】
ステップＳＥ５では、制御部７１は、ステップＳＥ４の検索結果に基づいて、図１７に示した人生イベント通知電子メール２６０を作成する。この人生イベント通知電子メール２６０は、前述した人生イベント通知情報２１１ｂ（図１２参照）と同様の内容であり、２００３年９月１８日が日本太郎の誕生日であること、ユーザの誕生日に日本太郎から花束をもらっていること、お返しとしてのお奨めの商品（バラの花束）と、当該商品を購入できるＷｅｂサイトのＵＲＬとをユーザに通知するための電子メールである。
【０１０９】
ステップＳＥ６では、制御部７１は、当該ユーザの通知方法（図４参照）に従って、人生イベント通知電子メール２６０をユーザ端末１０1（携帯端末４０1）へ通知する。これにより、当該ユーザは、人生イベント通知電子メール２６０を介して、３０日前に日本太郎の誕生日を知り、お返しを準備する。以後、上述した動作が繰り返され、全てのチェックが終了すると制御部７１は、ステップＳＥ３の判断結果を「Ｙｅｓ」とする。さらに、図１２に示した終了ボタン２１５が押下されると、制御部７１は、図６に示したステップＳＡ１２の判断結果を「Ｙｅｓ」として、ステップＳＡ１の判断を行う。
【０１１０】
なお、一実施例においては、ユーザ情報データベース８０（図２参照）にユーザ自身の人生イベントの予定を登録する機能を持たせ、新規に人生イベントの予定が登録された場合に、かかる人生イベントに関連する他のユーザへその予定を通知する構成例としてもよい。
【０１１１】
例えば、ＸさんとＹさんとが贈答品をやりとりする友人関係である場合に、Ｘさんの結婚が急遽決定すると、Ｘさんは、ユーザ情報データベース８０に結婚の予定日（イベント日）を登録する。なお、人生イベント管理装置７０には、ＸさんとＹさんとを関連づける人間関係データベースが設けられているものとする。
【０１１２】
これにより、人生イベント管理装置７０の制御部７１は、人間関係データベースを参照し、Ｘさんが結婚する予定日と、商品情報データベース１１０を参照して検索された贈答品の候補とを電子メール等を介してＹさんへ通知する。これにより、Ｙさんは、Ｘさんへ結婚式の贈答品を贈ることができる。
【０１１３】
また、一実施例においては、ステップＳＥ４（図１０参照）でお返し品候補として、以前ユーザが頂戴した贈答品と同等のものを検索する構成例について説明したが、当該贈答品を受け取る者の嗜好を予め人生イベント情報データベース１００に登録しておき、嗜好に合致するお返し品を商品情報データベース１１０から検索する構成例としてもよい。
【０１１４】
以上説明したように、一実施例によれば、ユーザに、人生イベントにおけるお返し品のお返し時期、お返しの相手（贈り主：４参照）に関する人生イベント情報を人生イベント情報データベース１００（図４参照）に登録させ、所定のトリガに基づいて、相手に対応する人生イベントの事前に、お返し品の候補、および人生イベント情報をユーザへ通知することとしたので、人生イベントにおける人付き合いを円滑に進めることができる。
【０１１５】
また、一実施例によれば、ユーザに、該ユーザが相手から過去に頂戴した贈答品に関する贈答品情報（贈答年月日、贈り主、贈答品、贈答品金額等：図４参照）を登録させ、贈答品情報および、予め登録された商品情報データベース１１０に基づいて、お返し品の候補を決定することとしたので、お返し品をゼロから検討する手間が省け、ユーザにおける人生イベントの負担感を軽減することができる。
【０１１６】
また、一実施例によれば、予め登録された相手の嗜好、および予め登録された商品情報に基づいて、お返し品の候補を決定することとしたので、相手の嗜好に合ったお返し品をお返しすることができるため、人生イベントにおける人付き合いをさらに円滑に進めることができる。
【０１１７】
また、一実施例によれば、図１６に示したように、贈答品情報に基づいて、人生イベントにおいて当該ユーザがお返し品をお返しするのに必要な予算を管理することとしたので、中長期（月間や年間）に亘る交際費を該予算から把握することができ、ユーザの利便性を高めることができる。
【０１１８】
また、一実施例によれば、図１２に示したように、人生イベントの日が対応付けられたカレンダ２１１を介して、人生イベント情報をユーザへ通知することとしたので、ユーザが人生イベントをカレンダ２１１の予定として把握することができる。
【０１１９】
また、一実施例によれば、図１７に示したように、人生イベント情報を人生イベント通知電子メール２６０を介してユーザへ通知することとしたので、迅速に人生イベント情報をユーザに知らせることができる。
【０１２０】
以上本発明にかかる一実施例について図面を参照して詳述してきたが、具体的な構成例はこの一実施例に限られるものではなく、本発明の要旨を逸脱しない範囲の設計変更等があっても本発明に含まれる。
【０１２１】
例えば、前述した一実施例においては、人生イベント管理装置７０の機能を実現するためのプログラムを図１８に示したコンピュータ読み取り可能な記録媒体４００に記録して、この記録媒体４００に記録されたプログラムを同図に示したコンピュータ３００に読み込ませ、実行することにより各機能を実現してもよい。
【０１２２】
同図に示したコンピュータ３００は、上記プログラムを実行するＣＰＵ（Central Processing Unit）３１０と、キーボード、マウス等の入力装置３２０と、各種データを記憶するＲＯＭ（Read Only Memory）３３０と、演算パラメータ等を記憶するＲＡＭ（Random Access Memory）３４０と、記録媒体４００からプログラムを読み取る読取装置３５０と、ディスプレイ、プリンタ等の出力装置３６０とから構成されている。
【０１２３】
ＣＰＵ３１０は、読取装置３５０を経由して記録媒体４００に記録されているプログラムを読み込んだ後、プログラムを実行することにより、前述した機能を実現する。なお、記録媒体４００としては、光ディスク、フレキシブルディスク、ハードディスク等が挙げられる。
【産業上の利用可能性】
【０１２４】
以上のように、本発明にかかる人生イベント管理プログラム、人生イベント管理方法および人生イベント管理装置は、誕生日、七五三、結婚等の人生イベントの管理（贈答品のやり取り等）に対して有用である。
【図面の簡単な説明】
【０１２５】
【図１】本発明にかかる一実施例の構成を示すブロック図である。
【図２】図１に示したユーザ情報データベース８０のテーブル構造を示す図である。
【図３】図１に示したカレンダ情報データベース９０のテーブル構造を示す図である。
【図４】図１に示した人生イベント情報データベース１００のテーブル構造を示す図である。
【図５】図１に示した商品情報データベース１１０のテーブル構造を示す図である。
【図６】図１に示した人生イベント管理装置７０の動作を説明するフローチャートである。
【図７】図６に示した人生イベント登録処理を説明するフローチャートである。
【図８】図６に示した人生イベント検索処理を説明するフローチャートである。
【図９】図６に示した予算管理処理を説明するフローチャートである。
【図１０】図６に示した人生イベントチェック処理を説明するフローチャートである。
【図１１】同一実施例における認証画面２００を示す図である。
【図１２】同一実施例におけるカレンダ画面２１０を示す図である。
【図１３】同一実施例における人生イベント登録画面２２０を示す図である。
【図１４】同一実施例における人生イベント検索画面２３０を示す図である。
【図１５】同一実施例における検索結果画面２４０を示す図である。
【図１６】同一実施例における予算管理画面２５０を示す図である。
【図１７】同一実施例における人生イベント通知電子メール２６０を示す図である。
【図１８】同一実施例の変形例の構成を示すブロック図である。
【符号の説明】
【０１２６】
１０1〜１０n  ユーザ端末
４０1〜４０n  携帯端末
５０1〜５０m  Ｗｅｂサーバ
６０1〜６０m  Ｗｅｂサイト
７０  人生イベント管理装置
７１  制御部
８０  ユーザ情報データベース
９０  カレンダ情報データベース
１００  人生イベント情報データベース
１１０  商品情報データベース
【図１】
2005208844.tif 000003
【図２】
2005208844.tif 000004
【図３】
2005208844.tif 000005
【図４】
2005208844.tif 000006
【図５】
2005208844.tif 000007
【図６】
2005208844.tif 000008
【図７】
2005208844.tif 000009
【図８】
2005208844.tif 000010
【図９】
2005208844.tif 000011
【図１０】
2005208844.tif 000012
【図１１】
2005208844.tif 000013
【図１２】
2005208844.tif 000014
【図１３】
2005208844.tif 000015
【図１４】
2005208844.tif 000016
【図１５】
2005208844.tif 000017
【図１６】
2005208844.tif 000018
【図１７】
2005208844.tif 000019
【図１８】
2005208844.tif 000020